(57)【要約】【課題】強度が向上すると共に長期経年による耐力低下を回避する木軸材構成の耐力面材を提供し、さらに、これを用いて構築する木造軸組み工法の耐力面構造を提供する。【解決手段】耐力面材は、角柱状の木軸材の複数本を側面当接させて面状に並設すると共に、隣接する木軸材どうしを直棒状の締結線材の複数箇所への貫入によって結着させて構成している。ここで、締結線材は長尺状の木材用ビス又は木材用雄ネジとする。締結線材の貫入方向は木軸材の方向に対して直角方向及び斜め方向の組合せとしている。また、木軸材の側面当接においては、各木軸材の側面に形成した凹条又は凸条の適合によるものとしている。耐力面構造は、上記構成の耐力面材を、木造軸組工法の軸組材の間に取り付けることで構築している。上記耐力面材を構成する木軸材の断面形は、取付け対象である部位の軸組材の木軸と同一形とすることが好適である。【選択図】図１
2019015127.tif 000002
【特許請求の範囲】
【請求項１】
角柱状の木軸材の複数本を側面当接させて面状に並設すると共に、隣接する木軸材どうしを直棒状の締結線材の複数箇所への貫入によって結着させたことを特徴とする木軸材構成の耐力面材。
【請求項２】
前記締結線材の貫入が、
隣接する２本又は３本の木軸材への貫入であることを特徴とする請求項１記載の木軸材構成の耐力面材。
【請求項３】
前記耐力面材を構成する各木軸材が、
同一断面形であることを特徴とする請求項１又は２記載の木軸材構成の耐力面材。
【請求項４】
前記締結線材の貫入方向が、
木軸材の長さ方向に対して直角方向及び斜め方向のいずれか一方、又はこれらの組合せであることを特徴とする請求項１乃至３のいずれか１項に記載の木軸材構成の耐力面材。
【請求項５】
前記締結線材が、
長尺状の木材用ビス又は木材用雄ネジであることを特徴とする請求項１乃至４のいずれか１項に記載の木軸材構成の耐力面材。
【請求項６】
木軸材の側面当接が、
側面に形成した凹条又は凸条の適合によるものであることを特徴とする請求項１乃至５のいずれか１項に記載の木軸材構成の耐力面材。
【請求項７】
前記凹凸条の当接適合が、
木軸材の面取り成形に適合する凹条成形によるものであること特徴とする請求項６記載の木軸材構成の耐力面材。
【請求項８】
請求項１乃至７のいずれか１項に記載の木軸材構成の耐力面材を、木造軸組工法の軸組材の間に取り付けたことを特徴とする木造軸組工法の耐力面構造。
【請求項９】
耐力面材を構成する木軸材の断面形が、
耐力面材を取り付ける部位の軸組材の木軸と同一形であることを特徴とする請求項８記載の木造軸組工法の耐力面構造。
【請求項１０】
耐力面材が、
壁面、床面、天井面、であることを特徴とする請求項８又は９記載の木造軸組工法の耐力面構造。
【請求項１１】
請求項１０の耐力面構造を壁面として構築する場合において、
前記耐力面材を構成する木軸材を縦方向として土台に立設させた状態で柱又は間柱の間に取付けことを特徴とする木造軸組工法の耐力面構造。
【発明の詳細な説明】
【技術分野】
【０００１】
本願発明は、木造軸組工法に用いる耐力面材と耐力面構造に関し、特に、構造用軸組材である木軸（柱又は間柱）と同様の木軸材を用いて形成した耐力面材と、これを用いた耐力面構造に関する。
【背景技術】
【０００２】
木造軸組工法の耐力面の構築において、特に、耐力壁面の構築の場合、土台に所定間隔で柱を立設固定し、この柱間に筋交いを取り付けて壁の耐力を確保している。そして、この柱間に断熱材や防音材を充填させて後、合板やサイディングなどの面材を取り付ける工法を採っているのが一般的である。
【０００３】
近年、これに変わるものとして、柱間に構造用面材を取り付け、筋交いと断熱材充填を省略して工法の簡易化と工期の短縮化を図った種々構成のものが開示されている。
【０００４】
その一例となる特許文献１（発明の名称「木造建築」）には、柱材と同じ角寸法の角材の複数本を側面に形成した溝条と突条で嵌合させると共に、これらの角材を横方向に貫通させた金属線材（ボルト）を金属ナットで緊締してパネルを形成し、このパネルを構成する角材を立てた状態（垂直方向）にして柱間に取り付ける木造建築の耐力面構造が開示されていた。
【０００５】
その他、耐力面構造又は耐力壁として機能する耐力面材に関する従来技術としては、特許文献２（発明の名称「木造軸組工法における面材耐力壁パネル」）、及び特許文献３（発明の名称「建築用パネルとそれを使用した建築構造」）が開示されている。
【０００６】
特許文献２の開示発明は、含水率１５％以下まで機械乾燥させた８０ｍｍ以上２００ｍｍ以下の小角材の木口を接着接合し、長さ１０００ｍｍ以上１２００ｍｍ以下の長尺角材を形成し、さらにこの長尺小角材の側面を相互に接着剤にて接着して、幅を９００ｍｍ以上１２００ｍｍ以下の面材耐力壁パネルとするものである。
【０００７】
また特許文献３の開示発明は、建築用パネルにおいて、２本並べた芯持ちの棒材の溝に変形防止材を跨がせて配置し、この配置の繰り返しにより数本の棒材を並べ、並べた棒材を棒材連結具で貫通してパネル状に連結して形成しているものである。２本の棒材の溝には隙間防止材をも跨がせて配置している。
【先行技術文献】
【特許文献】
【０００８】
【特許文献１】特開２００７−１４６３８８号公報
【特許文献２】特開２００３−３０６９９３号公報
【特許文献３】特開２００４−２６３３９８号公報
【発明の概要】
【発明が解決しようとする課題】
【０００９】
しかしながら、特許文献１で開示された発明のパネルは、耐力面材（又は耐力壁）としては建築基準にあった壁耐力を十分に満たすものではなかった。すなわち、ボルト通し孔方向（ボルト軸方向）に繰り返し力が加わった場合（例えば、耐力壁の評価試験のような上部横方向の力が加わる場合）、ボルトやナットは金属であるためにパネル側の木製角材とは強度差があるため、角材側の座面にへこみが生じることとなり、ボルトとナットの締結状態が緩むことがあったからである。この緩みは適宜に増し締めしなければ拡大することになり、ひいては耐力面材としての強さの維持が困難になっていた。加えて、ボルトとナットによる締結は、長期経年による応力緩和やクリープが発生して締結力の低下が問題となっていた。
【００１０】
また、引用文献２の面材耐力壁パネルは、複数種類の小角材を接着剤で所定長さに接合して長尺小角材を形成し、この長尺材の側面側どうしを複数接合して成るものである。このため、小角材から長尺小角材、長尺小角材から面材耐力壁パネルの形成時に大量の接着剤と接着工程が必要となり、量産効率が極めて悪いものであった。また、大量の接着材を使う環境は、環境保全の観点から高コストになるばかりでなく、ハウスシック症候群等の健康被害の発生が否定できないものであった。
【００１１】
引用文献３の建築用パネルにおいても、ボルトとナットの締結構造である点で引用文献１のパネルと変わりなく、木材側の座面にへこみが生じることにより、締結状態が緩むことが想定されるものであった。同様に、長期経年による締結力の低下も問題であった。
【００１２】
そこで、本願発明は、上記実情に鑑み発明されたものであり、簡易な構造でありながら強度が向上するだけでなく、長期経年による耐力低下を回避すると共に、複数の面材幅に迅速に対応できる耐力面材を提供するものである。さらに、これを用いて構築する木造軸組工法の耐力面構造を提供するものである。
【課題を解決するための手段】
【００１３】
本願発明にかかる木軸材構成の耐力面材（以下、「本面材」と称する。）は、以下の構成を特徴としている。
【００１４】
すなわち、角柱状の木軸材の複数本を側面当接させて面状に並設すると共に、隣接する木軸材どうしを直棒状の締結線材の複数箇所への貫入によって結着させたことを特徴としている。
【００１５】
ここで、各木軸材は同一断面形とすると共に、締結線材は長尺状の木材用ビス又は木材用雄ネジであることを特徴としている。また、締結線材の貫入は、隣接する２本又は３本の木軸材への貫入であり、貫入方向についても木軸材の長さ方向に対して直角方向及び斜め方向のいずれか一方、又はこれらの組合せを採用したことを特徴としている。
【００１６】
上記木軸材の側面当接においては、側面に形成した凹条又は凸条の適合によるものであることを特徴としている。凹条及び凸条は、側面の一部又は全面に渡って形成しても良い。
【００１７】
また、前記凹凸条の当接適合が、木軸材の面取り成形に適合する凹条成形によるものであること特徴としている。より具体的には、一方の木軸材を面取り成形して側面全体を凸条形とし、他方の適合側は上記面取り部に適合する凹条を側面全体に成形している。
【００１８】
次に、本面材を用いた木造軸組工法の耐力面構造（以下、「本構造」と称する。）は、上記構成の耐力面材を、木造軸組工法の軸組材の間に取り付けたことを特徴としている。ここで、木造軸組工法の軸組材としては、例えば、通し柱や間柱、土台、及び桁や胴差し等を示し、これらから成る軸組材に取り付ける場合、壁面を構成する耐力面構造となる。他にも、土台、大引きで成る軸組材に配置すれば床面を構成する耐力面構造となり、桁、梁で成る軸組材に配置すれば天井面を構成する耐力面構造となる。
【００１９】
また、本面材を構成する木軸材の断面形を、取付け対象である部位の軸組材の木軸と同一形としても良い。この場合、本面材と軸組材間には凹凸面が生じず、美観を確保できると共に余計な引っ掛かりもないため安全面も向上する。
【発明の効果】
【００２０】
本面材は上記構成を採用することにより、複数の木軸材間に跨るように貫入させた複数の締結線材によって木軸材の連結状態を高めることができる。本面材は、所定の外力が繰り返し作用しても複数箇所に配設した各締結線材が、隣接する木軸材どうしと個別的に結着しているため、面材の耐力低下を招くことはない。また、長期経年の作用によって生じる応力緩和やクリープは、各締結線材限りのものであって、かつその方向性が区々であるため、面材としての耐力を安定的に維持することができる。
【００２１】
また、締結線材の貫入方向を直角方向だけでなく斜め方向にして組み合わせた場合は、面材へ作用する外力を締結線材の貫入方向に適宜に分散することができるため、耐力面材をより強固に構築することかできる。
【００２２】
さらに、木軸材の側面当接を、凹条又は凸条の適合としているため、木軸材どうしの当接時や締結線材の貫入による位置ズレが抑制され、面材の面を一にした安定品質の耐力面材を形成することができる。
【００２３】
次に、本面材を用いた本構造は、木造軸組工法の軸組材を構成する木軸と同様の木軸材を用いて構成しているため、筋交いや断熱材や防音材や保温材等を省略することができ、充填作業等の別作業をすることなく大工作業のみで構築できるため、作業効率と工期の短縮を図ることできる。特に、内装施工に関しては、木材の肌が表面に表れるので、これをそのまま内装仕上げとすることができ、材料削減や工期短縮、引いてはコスト削減にも資する。
【００２４】
また、軸組材を構成する木軸と同一形（同一寸法角）の木軸材を用いて耐力面材を形成した場合は、壁面や床面や天井面の内装面の工事を省略することができる。これにより、当該工事費の削減が図れるだけでなく、内装及び外装の美観向上にも寄与する。
【００２５】
さらに、本願発明は、壁面構築においては本面材を構成する木軸材を縦方向にして立設させているため、地震による影響が大きい横揺れへの抵抗力をより高めることでき、木造軸組工法としては強度がより向上した耐力壁を構築することができる。この耐力壁の強度向上によって耐力壁数を減少できるために設計自由度が増すことになり、例えば、住宅に大きな開口部を設けることが可能となる。加えて、接着剤を使用しないため、ハウスシック症候群のおそれもなく、住環境にやさしいものである。
【図面の簡単な説明】
【００２６】
【図１】本実施例に係る本面材を用いた本構造の概要を示す一部切り欠き斜視図である。
【図２】本実施例に係る本面材を構成する木軸材を示す斜視図（Ａ）、及び木軸材の側面当接状態を示す斜視図（Ｂ）である。
【図３】本実施例に係る本面材を構成時の締結線材の貫入状況を示す一部切り欠き斜視図である。
【図４】本実施例に係る本面材の形成方法を示す説明図である。
【図５】本実施例に係る本面材を耐力壁に用いると共に、その評価試験の構成例を示す正面図である。
【図６】本実施例に係る本面材を耐力壁に用いると共に、その評価試験の構成例を示す正面図である。
【発明を実施するための形態】
【００２７】
以下に、実施例に係る本面材、及びこれを用いた本構造の最良の実施例を図面に基づき詳細に説明する。
【００２８】
図１の図符号１は、本面材２を壁面として用いた本構造である。本構造１は、基礎９１の上面に載置した土台９２に所定の離隔距離で２本の柱９３を立設し、柱間の上部には桁９４を跨ぐように配設して木造軸組工法の軸組材９を成し、この軸組材内に本面材２を固定して構成している。
【００２９】
なお、本面材２は、実施例のように壁面に限定するものでなく、取り付ける木造軸組工法の軸組材９によっては、壁面の他、床面や天井面として構成するようにしても良い。
【００３０】
ここで、本面材２は、上述のように軸組材間に取り付けるものであり、土台９２、桁９４、柱９３に複数の専用の２種類の固定ビス６ａ、６ｂを用いて固定している。柱用に長めの固定ビス６ｂを用い、これを水平横方向から柱９３を突き通して本面材２の木場面に貫入させている。土台用には短めの固定ビス６ａを用い、本面材２から斜めに突き通し先端の一部を土台９２に貫入させている。桁用にも短めの固定ビス６ａを用い、これを桁９４から斜めに突き通し先端の一部を本面材２に貫入させるようにしている。なお、上記固定ビス６ａ、６ｂは、後述する締結線材５ａと同じ長尺状の木材用ビス又は木材用雄ネジである。また、本面材２と土台９２と接合部分は、ホゾとホゾ穴の係合としても良い（図示省略）。
【００３１】
次に、本面材２の詳細について説明する。本面材２は、同一断面及び同一長さの複数の角柱状の木軸材３、３、３、・・・から構成している。
【００３２】
この木軸材３は、対向側面の一方側の全長に渡って凸条３１を形成すると共に、他方側の対向面側には凹条３２を形成している。凸条３１は、長手側の両方の稜線部を面取り成形して全体で凸条３１を成し、凹条３２はこの凸条３１に適合するように稜線部の両端を残して全体を削った形状にしている。
【００３３】
本面材２は、上記構成の複数の木軸材３の側面を接合させ、面状を成すように並設して構成している。この側面当接時には、側面の形成した上記凹条３２と凸条３１とを適合させている。そして、この並設状態の木軸材３に対し、少なくとも２本の木軸材３に跨る長さの直棒状の締結線材５ａを複数箇所へ貫入し、この締結線材５ａと各木軸材３とを結着させて一体化している。
【００３４】
ここで、本実施例の締結線材５ａは、長尺状の木材用ビス又は木材用雄ネジである。したがって、締結線材５ａのネジ部５１がその全長に渡って複数の木軸材３と深く結着していることとなる。
【００３５】
この締結線材５ａを貫入する木軸材３の高さ位置は、その側面の高さ寸法のほぼ中央とする一方、貫入方向は木軸材３の長さ方向に対して直角方向と斜め方向を組み合わせている。また、締結線材５ａの長さは、上述のように２本の木軸材３に跨る長さの他、３本の木軸材３に跨る合計２種類の寸法を設定している。ここで、２本の木軸材３に跨る長さの締結線材は短めの締結線材５ａと、３本の木軸材３に跨る長さの締結線材は長めの締結線材５ｂと、称して用いる。
【００３６】
本面材２における複数の締結線材５ａ、５ｂの貫入態様は、中央に直角方向の貫入方向のグループ、その両側に中央に向かう斜め方向の貫入方向のグループ、その外側に直角方向の貫入方向のグループ、となるようにしている。
【００３７】
そして、上記構成の本面材２を、木軸材３が縦方向となるように土台９２に立設させた状態で柱９３の間に取付けて本構造１を構築している。この軸組材９への取付けにおいては、上述のように、横側は柱９３の外側から本面材２に向かって直角方向に複数の固定ビス６ｂを貫入し、下側は本面材２から土台９２に向かって斜め方向に複数の固定ビス６ａを貫入し、上側は桁９４から本面材２に向かって斜め方向に複数の固定ビス６ａを貫入して行っている。
【００３８】
また、本面材２の左右に位置する柱９３については、木軸材３と当接状態を強固にすると共に隙間を生じさせないために、長さ方向に隣接する木軸材３と適合する凹条又は凸条を片側の側面にのみ形成している。
【００３９】
上記構成の本面材２の形成は、以下のようにして行っている。
まず、２本の木軸材３を互いの凹条３２と凸条３１が適合するように並設して配置する。並設後には、木軸材３を固定して凸条側の側面から下穴４を長さ方向に対して直角方向に開孔する。下穴４の開孔位置は、木軸材３の側面の高さ寸法のほぼ中央であり、長さ方向に所定間隔を確保する。また、下穴４の開孔深さに関しては、少なくとも２本の木軸材３に跨る長さとする。この場合、２本の木軸材３を貫通しても良く、又は一部の下穴４については斜め方向に開孔しても良い（図示省略）。
【００４０】
下穴４の開孔後には、各下穴位置に下穴径よりも若干拡径した締結線材５ａをそれぞれ貫入する。この締結線材５ａは木材用ビス又は木材用雄ネジであるため、その貫入によってネジ部５１が木軸材３と強固に結着する。締結線材５ａの長さは下穴深さとほぼ同じとしている。
【００４１】
次に、一体化した２本の木軸材３、３の凸条側に新たな木軸材３を配置し、新たな木軸材３の凹条３２を一体化した木軸材３の凸条３１に適合させて側面どうしを当接させる。この状態で、締結線材５ａが貫入した位置と異なる位置に複数の下穴４を開孔する。所定数の下穴４の開孔の終了後には、この下穴４に締結線材５ａを貫入させていく。なお、一部の下穴深さについては、適宜に３本の木軸材３に跨るように設定しても良く、これに貫入する締結線材５ｂは当然に長く設定している。
【００４２】
必要な締結線材５ａ、５ｂの貫入後は、新たな木軸材３の追加、貫入後の締結線材５ａ、５ｂに干渉しない位置への下穴４の開孔、この下穴４に対して適宜の締結線材５ａ、５ｂの貫入を繰り返し、所定本数の木軸材３から成る本面材２の形成が完了する。
［耐力壁の評価試験について］
【００４３】
上記実施例の本面材２については、木軸材３を縦方向に立設させると共に、締結線材５ａ、５ｂの貫入態様を変えた耐力壁７、８を構築した。そして、耐力壁７、８において「耐力壁及びその倍率性能評価試験」を行ったところ良好な結果を得ている。
【００４４】
なお、「耐力壁及びその倍率性能評価試験」の詳細については、「木造耐力壁及びその倍率の試験・評価業務方法書／http://www.jtccm.or.jp/Portals/0/resources/library/jtccm/seino/siryo/houhousho/jikugumikabe.pdf、又は木造の耐力壁及びその倍率性能試験・評価業務方法書／http://www.cbl.or.jp/standard/kseino/11/file/01.pdf」等に準拠するものであるため、本明細書での詳細な説明は省略する。
【００４５】
まず、図５に示す耐力壁７については、１辺１０５ｍｍ、長さ２５１５ｍｍの木軸材の８本から成り、これを所定の基礎９１、土台９２、柱９３、桁９４から成る軸組材９に２種類の長さの固定ビス６ａ、６ｂで取付けている。
【００４６】
本面材２に貫入する締結線材５ａ、５ｂの寸法としては、直径６．５ｍｍ、短めが全長２００ｍｍ、長めが全長２６０ｍｍとしている。貫入位置としては、木軸材間の一体化用として短めの締結線材５ａが６本、長めの締結線材５ｂが２９本であり、これを木軸材３の長さ方向に対して直角及び斜め方向の組み合わせとしている。そして、この耐力壁７の壁倍率としては、３．０８の結果を得た。
【００４７】
なお、軸組材９への固定については、締結線材５ａと直径が同じであるが、これよりも全長が短めの固定ビス６ａと、長めの締結線材５ｂと直径も全長も同じ長めの固定ビス６ｂの２種類を用いている。土台９２及び桁９４への固定には短めの固定ビス６ａの１６本をもって行い、柱９３への固定には長めの固定ビス６ｂの１６本をもって行っている。なお、長めの固定ビス６ｂについては、一部を斜め方向への貫入としている。
【００４８】
次に、図６に示す耐力壁８については、上記同様の８本の木軸材３の構成である点と、取付け対象の軸組材９を同じとしている。一方で、木軸間３の一体化用としては、全てが短めの締結線材５ａを直角方向への貫入のみ合計４９本で行っている。また、柱９３への取付けについては、長めの固定ビス６ｂを直角方向へ貫入した合計１６本で行っている。この耐力壁８の壁倍率としては、２．１８の結果を得た。
【符号の説明】
【００４９】
１  本構造
２  本面材
３  木軸材
３１  凸条
３２  凹条
４  下穴
５ａ  締結線材（短め）
５ｂ  締結線材（長め）
５１  ネジ部
６ａ  固定ビス（短め）
６ｂ  固定ビス（長め）
７  耐力壁
８  耐力壁
９  軸組材
９１  基礎
９２  土台
９３  柱
９４  桁
【図１】
2019015127.tif 000003
【図２】
2019015127.tif 000004
【図３】
2019015127.tif 000005
【図４】
2019015127.tif 000006
【図５】
2019015127.tif 000007
【図６】
2019015127.tif 000008
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
角柱状の木軸材の複数本を側面当接させて面状に並設すると共に、隣接する木軸材どうしを直棒状の締結線材の複数箇所への貫入によって結着させたことを特徴とする木軸材構成の耐力面材。
【請求項２】
前記締結線材の貫入が、
隣接する２本又は３本の木軸材への貫入であることを特徴とする請求項１記載の木軸材構成の耐力面材。
【請求項３】
前記耐力面材を構成する各木軸材が、
同一断面形であることを特徴とする請求項１又は２記載の木軸材構成の耐力面材。
【請求項４】
前記締結線材の貫入方向が、
木軸材の長さ方向に対して直角方向及び斜め方向のいずれか一方、又はこれらの組合せであることを特徴とする請求項１乃至３のいずれか１項に記載の木軸材構成の耐力面材。
【請求項５】
前記締結線材が、
長尺状の木材用ビス又は木材用雄ネジであることを特徴とする請求項１乃至４のいずれか１項に記載の木軸材構成の耐力面材。
【請求項６】
木軸材の側面当接が、
側面に形成した凹条又は凸条の適合によるものであることを特徴とする請求項１乃至５のいずれか１項に記載の木軸材構成の耐力面材。
【請求項７】
前記凹凸条の当接適合が、
木軸材の面取り成形に適合する凹条成形によるものであること特徴とする請求項６記載の木軸材構成の耐力面材。
【請求項８】
請求項１乃至７のいずれか１項に記載の木軸材構成の耐力面材を、木造軸組構法の軸組材の間に取り付けたことを特徴とする木造軸組構法の耐力面構造。
【請求項９】
耐力面材を構成する木軸材の断面形が、
耐力面材を取り付ける部位の軸組材の木軸と同一形であることを特徴とする請求項８記載の木造軸組構法の耐力面構造。
【請求項１０】
耐力面材が、
壁面、床面、天井面、であることを特徴とする請求項８又は９記載の木造軸組構法の耐力面構造。
【請求項１１】
請求項１０の耐力面構造を壁面として構築する場合において、
前記耐力面材を構成する木軸材を縦方向として土台に立設させた状態で柱又は間柱の間に取付けことを特徴とする木造軸組構法の耐力面構造。
【手続補正３】
【補正対象書類名】明細書
【補正対象項目名】０００１
【補正方法】変更
【補正の内容】
【０００１】
本願発明は、木造軸組構法に用いる耐力面材と耐力面構造に関し、特に、構造用軸組材である木軸（柱又は間柱）と同様の木軸材を用いて形成した耐力面材と、これを用いた耐力面構造に関する。
【手続補正４】
【補正対象書類名】明細書
【補正対象項目名】０００２
【補正方法】変更
【補正の内容】
【０００２】
木造軸組構法の耐力面の構築において、特に、耐力壁面の構築の場合、土台に所定間隔で柱を立設固定し、この柱間に筋交いを取り付けて壁の耐力を確保している。そして、この柱間に断熱材や防音材を充填させて後、合板やサイディングなどの面材を取り付ける工法を採っているのが一般的である。
【手続補正５】
【補正対象書類名】明細書
【補正対象項目名】００１２
【補正方法】変更
【補正の内容】
【００１２】
そこで、本願発明は、上記実情に鑑み発明されたものであり、簡易な構造でありながら強度が向上するだけでなく、長期経年による耐力低下を回避すると共に、複数の面材幅に迅速に対応できる耐力面材を提供するものである。さらに、これを用いて構築する木造軸組構法の耐力面構造を提供するものである。
【手続補正６】
【補正対象書類名】明細書
【補正対象項目名】００１８
【補正方法】変更
【補正の内容】
【００１８】
次に、本面材を用いた木造軸組構法の耐力面構造（以下、「本構造」と称する。）は、上記構成の耐力面材を、木造軸組構法の軸組材の間に取り付けたことを特徴としている。
ここで、木造軸組構法の軸組材としては、例えば、通し柱や間柱、土台、及び桁や胴差し等を示し、これらから成る軸組材に取り付ける場合、壁面を構成する耐力面構造となる。他にも、土台、大引きで成る軸組材に配置すれば床面を構成する耐力面構造となり、桁、梁で成る軸組材に配置すれば天井面を構成する耐力面構造となる。
【手続補正７】
【補正対象書類名】明細書
【補正対象項目名】００２３
【補正方法】変更
【補正の内容】
【００２３】
次に、本面材を用いた本構造は、木造軸組構法の軸組材を構成する木軸と同様の木軸材を用いて構成しているため、筋交いや断熱材や防音材や保温材等を省略することができ、
充填作業等の別作業をすることなく大工作業のみで構築できるため、作業効率と工期の短縮を図ることできる。特に、内装施工に関しては、木材の肌が表面に表れるので、これをそのまま内装仕上げとすることができ、材料削減や工期短縮、引いてはコスト削減にも資する。
【手続補正８】
【補正対象書類名】明細書
【補正対象項目名】００２５
【補正方法】変更
【補正の内容】
【００２５】
さらに、本願発明は、壁面構築においては本面材を構成する木軸材を縦方向にして立設させているため、地震による影響が大きい横揺れへの抵抗力をより高めることでき、木造軸組構法としては強度がより向上した耐力壁を構築することができる。この耐力壁の強度向上によって耐力壁数を減少できるために設計自由度が増すことになり、例えば、住宅に大きな開口部を設けることが可能となる。加えて、接着剤を使用しないため、ハウスシック症候群のおそれもなく、住環境にやさしいものである。
【手続補正９】
【補正対象書類名】明細書
【補正対象項目名】００２８
【補正方法】変更
【補正の内容】
【００２８】
図１の図符号１は、本面材２を壁面として用いた本構造である。本構造１は、基礎９１の上面に載置した土台９２に所定の離隔距離で２本の柱９３を立設し、柱間の上部には桁９４を跨ぐように配設して木造軸組構法の軸組材９を成し、この軸組材内に本面材２を固定して構成している。
【手続補正１０】
【補正対象書類名】明細書
【補正対象項目名】００２９
【補正方法】変更
【補正の内容】
【００２９】
なお、本面材２は、実施例のように壁面に限定するものでなく、取り付ける木造軸組構法の軸組材９によっては、壁面の他、床面や天井面として構成するようにしても良い。
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
同一横断面形の角柱木軸材の複数本を、それぞれ側面当接させて面一状に配置して固定一体化した耐力面材であって、
該固定一体化が、２本又は３本の前記木軸材間に跨る長さの木材用ビスをねじ込み締結すると共に、該ねじ込み締結箇所を、上記耐力面材の適宜の複数箇所に分散配置して行っていることを特徴とする木軸材構成の耐力面材。
【請求項２】
前記木材用ビスのねじ込み方向が、
木軸材の長さ方向に対して直角方向、斜め方向、又はこれらの組合せであることを特徴とする請求項１記載の木軸材構成の耐力面材。
【請求項３】
角柱木軸材の側面当接が、
側面に形成した凹条又は凸条の適合によるものであることを特徴とする請求項１又は２記載の木軸材構成の耐力面材。
【請求項４】
請求項１、２、又は３記載の木軸材構成の耐力面材を、木造軸組構法の軸組材の間に取り付けて耐力壁面としたことを特徴とする木造軸組構法の耐力面構造。
【請求項５】
耐力面材を構成する角柱木軸材の断面形が、
耐力面材を取り付け固定する部位の軸組材の木軸と同一横断面形であることを特徴とする請求項４記載の木造軸組構法の耐力面構造。
【請求項６】
上記耐力面材を取り付ける部位が、
壁面、床面、及び天井面、であることを特徴とする請求項４又は５記載の木造軸組構法の耐力面構造。
【請求項７】
請求項４の耐力面構造を耐力壁面として構築する場合において、
前記耐力面材を構成する角柱木軸材を、縦方向にして土台に立設させて木造軸組の柱間又は間柱間に取付け固定したことを特徴とする木造軸組構法の耐力面構造。
【手続補正２】
【補正対象書類名】明細書
【補正対象項目名】００１４
【補正方法】変更
【補正の内容】
【００１４】
すなわち、同一横断面形の角柱木軸材の複数本を、それぞれ側面当接させて面一状に配置して固定一体化して成り、該固定一体化が、２本又は３本の前記木軸材間に跨る長さの木材用ビスをねじ込み締結すると共に、該ねじ込み締結箇所を、上記耐力面材の適宜の複数箇所に分散配置して行っていることを特徴としている。なお、上記木材用ビスは、木材用雄ネジに変更しても良い。
【手続補正３】
【補正対象書類名】明細書
【補正対象項目名】００１５
【補正方法】変更
【補正の内容】
【００１５】
また、木材用ビスのねじ込み方向は、木軸材の長さ方向に対して直角方向、斜め方向、又はこれらの組合せを採用したことを特徴としている。
【手続補正４】
【補正対象書類名】明細書
【補正対象項目名】００１６
【補正方法】変更
【補正の内容】
【００１６】
上記角柱木軸材の側面当接においては、側面に形成した凹条又は凸条の適合によるものであることを特徴としている。凹条及び凸条は、側面の一部又は全面に渡って形成しても良い。
【手続補正５】
【補正対象書類名】明細書
【補正対象項目名】００１７
【補正方法】変更
【補正の内容】
【００１７】
また、前記凹凸条の当接適合が、角柱木軸材の面取り成形に適合する凹条成形によるものでも良い。具体的には、一方の角柱木軸材を面取り成形して側面全体を凸条形とし、他方の適合側は上記面取り部に適合する凹条を側面全体に成形するものである。
【手続補正６】
【補正対象書類名】明細書
【補正対象項目名】００１８
【補正方法】変更
【補正の内容】
【００１８】
次に、本面材を用いた木造軸組構法の耐力面構造（以下、「本構造」と称する。）は、上記構成の耐力面材を、木造軸組構法の軸組材の間に取り付けて耐力壁面としたことを特徴としている。ここで、木造軸組構法の軸組材としては、例えば、通し柱や間柱、土台、及び桁や胴差し等を示し、これらから成る軸組材に取り付け固定する。その場合、木軸材を、縦方向にして土台に立設させて木造軸組の柱間又は間柱間に取付け固定すれば、耐力壁面を構成する耐力面構造となる。他にも、耐力面材を取り付ける部位が、土台、大引きであれば床面を構成する耐力面構造となり、桁、梁であれば天井面を構成する耐力面構造となる。
【手続補正７】
【補正対象書類名】明細書
【補正対象項目名】００１９
【補正方法】変更
【補正の内容】
【００１９】
また、本面材を構成する角柱木軸材の断面形を、取付け固定する部位の軸組材の木軸と同一横断面形としても良い。この場合、本面材と軸組材間には凹凸面が生じず、美観を確保できると共に余計な引っ掛かりもないため安全面も向上する。
【手続補正８】
【補正対象書類名】明細書
【補正対象項目名】００２０
【補正方法】変更
【補正の内容】
【００２０】
本面材は上記構成を採用することにより、複数の角柱木軸材間に跨るようにねじ込み締結させた複数の木材用ビスによって木軸材の連結状態を高めることができる。本面材は、所定の外力が繰り返し作用しても複数箇所に配設した各木材用ビスが、隣接する角柱木軸材どうしと個別的に結着しているため、面材の耐力低下を招くことはない。また、長期経年の作用によって生じる応力緩和やクリープは、各木材用ビス限りのものであって、かつその方向性が区々であるため、面材としての耐力を安定的に維持することができる。
【手続補正９】
【補正対象書類名】明細書
【補正対象項目名】００２１
【補正方法】変更
【補正の内容】
【００２１】
また、木材用ビスのねじ込み方向を直角方向だけでなく斜め方向にして組み合わせた場合は、面材へ作用する外力を木材用ビスのねじ込み方向に適宜に分散することができるため、耐力面材をより強固に構築することかできる。
【手続補正１０】
【補正対象書類名】明細書
【補正対象項目名】００２２
【補正方法】変更
【補正の内容】
【００２２】
さらに、角柱木軸材の側面当接を、凹条又は凸条の適合としているため、木軸材どうしの当接時や木材用ビスのねじ込み締結による位置ズレが抑制され、面材の面を一にした安定品質の耐力面材を形成することができる。
【手続補正１１】
【補正対象書類名】明細書
【補正対象項目名】００２４
【補正方法】変更
【補正の内容】
【００２４】
また、軸組材を構成する木軸と同一横断面形（同一寸法角）の角柱木軸材を用いて耐力面材を形成した場合は、壁面や床面や天井面の内装面の工事を省略することができる。これにより、当該工事費の削減が図れるだけでなく、内装及び外装の美観向上にも寄与する。
【手続補正１２】
【補正対象書類名】明細書
【補正対象項目名】００２６
【補正方法】変更
【補正の内容】
【００２６】
【図１】本実施例に係る本面材を用いた本構造の概要を示す一部切り欠き斜視図である。
【図２】本実施例に係る本面材を構成する木軸材を示す斜視図（Ａ）、及び木軸材の側面当接状態を示す斜視図（Ｂ）である。
【図３】本実施例に係る本面材を構成時の木材用ビスのねじ込み状況を示す一部切り欠き斜視図である。
【図４】本実施例に係る本面材の形成方法を示す説明図である。
【図５】本実施例に係る本面材を耐力壁に用いると共に、その評価試験の構成例を示す正面図である。
【図６】本実施例に係る本面材を耐力壁に用いると共に、その評価試験の構成例を示す正面図である。
【手続補正１３】
【補正対象書類名】明細書
【補正対象項目名】００２８
【補正方法】変更
【補正の内容】
【００２８】
図１の図符号１は、本面材２を耐力壁面（以下、「壁面」と略称する。）として用いた本構造である。本構造１は、基礎９１の上面に載置した土台９２に所定の離隔距離で２本の柱９３を立設し、柱間の上部には桁９４を跨ぐように配設して木造軸組構法の軸組材９を成し、この軸組材内に本面材２を固定して構成している。
【手続補正１４】
【補正対象書類名】明細書
【補正対象項目名】００３０
【補正方法】変更
【補正の内容】
【００３０】
ここで、本面材２は、上述のように軸組材間に取り付けるものであり、土台９２、桁９４、柱９３に複数の専用の２種類の固定ビス６ａ、６ｂを用いて固定している。柱用に長めの固定ビス６ｂを用い、これを水平横方向から柱９３を突き通して本面材２の木場面にねじ込み締結している。土台用には短めの固定ビス６ａを用い、本面材２から斜めに突き通し先端の一部を土台９２にねじ込み締結している。桁用にも短めの固定ビス６ａを用い、これを桁９４から斜めに突き通し先端の一部を本面材２にねじ込み締結している。なお、上記固定ビス６ａ、６ｂは、後述する木材用ビス５ａと同じ長尺状の木材用ビスである。また、本面材２と土台９２と接合部分は、ホゾとホゾ穴の係合としても良い（図示省略）。
【手続補正１５】
【補正対象書類名】明細書
【補正対象項目名】００３１
【補正方法】変更
【補正の内容】
【００３１】
次に、本面材２の詳細について説明する。本面材２は、同一横断面形及び同一長さの複数の角柱木軸材（以下、「木軸材」と略称する。）３、３、３、・・・から構成している。
【手続補正１６】
【補正対象書類名】明細書
【補正対象項目名】００３３
【補正方法】変更
【補正の内容】
【００３３】
本面材２は、上記構成の複数の木軸材３の側面を接合させ、面状を成すように並設して構成している。この側面当接時には、側面の形成した上記凹条３２と凸条３１とを適合させている。そして、この並設状態の木軸材３に対し、少なくとも２本の木軸材３に跨る長さの木材用ビス５ａを複数箇所へねじ込み、この木材用ビス５ａと各木軸材３とを結着させて一体化している。
【手続補正１７】
【補正対象書類名】明細書
【補正対象項目名】００３４
【補正方法】変更
【補正の内容】
【００３４】
ここで、本実施例の木材用ビス５ａは、そのネジ部５１がその全長に渡って複数の木軸材３と深く結着している。
【手続補正１８】
【補正対象書類名】明細書
【補正対象項目名】００３５
【補正方法】変更
【補正の内容】
【００３５】
この木材用ビス５ａをねじ込む木軸材３の高さ位置は、その側面の高さ寸法のほぼ中央とする一方、ねじ込み方向は木軸材３の長さ方向に対して直角方向と斜め方向を組み合わせている。また、木材用ビス５ａの長さは、上述のように２本の木軸材３に跨る長さの他、３本の木軸材３に跨る合計２種類の寸法を設定している。ここで、２本の木軸材３に跨る長さの木材用ビスは短めの木材用ビス５ａと、３本の木軸材３に跨る長さの木材用ビスは長めの木材用ビス５ｂと、称して用いる。
【手続補正１９】
【補正対象書類名】明細書
【補正対象項目名】００３６
【補正方法】変更
【補正の内容】
【００３６】
本面材２における複数の木材用ビス５ａ、５ｂのねじ込み締結態様は、中央に直角方向のねじ込む方向のグループ、その両側に中央に向かう斜め方向のねじ込む方向のグループ、その外側に直角方向のねじ込む方向のグループ、となるようにしている。
【手続補正２０】
【補正対象書類名】明細書
【補正対象項目名】００３７
【補正方法】変更
【補正の内容】
【００３７】
そして、上記構成の本面材２を、木軸材３が縦方向となるように土台９２に立設させた状態で柱９３の間に取付けて本構造１を構築している。この軸組材９への取付けにおいては、上述のように、横側は柱９３の外側から本面材２に向かって直角方向に複数の固定ビス６ｂをねじ込み締結し、下側は本面材２から土台９２に向かって斜め方向に複数の固定ビス６ａをねじ込み締結し、上側は桁９４から本面材２に向かって斜め方向に複数の固定ビス６ａをねじ込み締結している。
【手続補正２１】
【補正対象書類名】明細書
【補正対象項目名】００４０
【補正方法】変更
【補正の内容】
【００４０】
下穴４の開孔後には、各下穴位置に下穴径よりも若干拡径した木材用ビス５ａをそれぞれねじ込む。この木材用ビス５ａは、そのねじ込み締結によってネジ部５１が木軸材３と強固に結着する。木材用ビス５ａの長さは下穴深さとほぼ同じとしている。
【手続補正２２】
【補正対象書類名】明細書
【補正対象項目名】００４１
【補正方法】変更
【補正の内容】
【００４１】
次に、一体化した２本の木軸材３、３の凸条側に新たな木軸材３を配置し、新たな木軸材３の凹条３２を一体化した木軸材３の凸条３１に適合させて側面どうしを当接させる。この状態で、木材用ビス５ａをねじ込みした位置と異なる位置に複数の下穴４を開孔する。所定数の下穴４の開孔の終了後には、この下穴４に木材用ビス５ａをねじ込んでいく。なお、一部の下穴深さについては、適宜に３本の木軸材３に跨るように設定しても良く、これにねじ込む木材用ビス５ｂは当然に長く設定している。
【手続補正２３】
【補正対象書類名】明細書
【補正対象項目名】００４２
【補正方法】変更
【補正の内容】
【００４２】
必要な木材用ビス５ａ、５ｂのねじ込み後は、新たな木軸材３の追加、ねじ込み後の木材用ビス５ａ、５ｂに干渉しない位置への下穴４の開孔、この下穴４に対して適宜の木材用ビス５ａ、５ｂのねじ込みを繰り返し、所定本数の木軸材３から成る本面材２の形成が完了する。
【手続補正２４】
【補正対象書類名】明細書
【補正対象項目名】００４３
【補正方法】変更
【補正の内容】
【００４３】
上記実施例の本面材２については、木軸材３を縦方向に立設させると共に、木材用ビス５ａ、５ｂのねじ込み締結態様を変えた耐力壁７、８を構築した。そして、耐力壁７、８において「耐力壁及びその倍率性能評価試験」を行ったところ良好な結果を得ている。
【手続補正２５】
【補正対象書類名】明細書
【補正対象項目名】００４６
【補正方法】変更
【補正の内容】
【００４６】
本面材２にねじ込む木材用ビス５ａ、５ｂの寸法としては、直径６．５ｍｍ、短めが全長２００ｍｍ、長めが全長２６０ｍｍとしている。ねじ込む位置としては、木軸材間の一体化用として短めの木材用ビス５ａが６本、長めの木材用ビス５ｂが２９本であり、これを木軸材３の長さ方向に対して直角及び斜め方向の組み合わせとしている。そして、この耐力壁７の壁倍率としては、３．０８の結果を得た。
【手続補正２６】
【補正対象書類名】明細書
【補正対象項目名】００４７
【補正方法】変更
【補正の内容】
【００４７】
なお、軸組材９への固定については、木材用ビス５ａと直径が同じであるが、これよりも全長が短めの固定ビス６ａと、長めの木材用ビス５ｂと直径も全長も同じ長めの固定ビス６ｂの２種類を用いている。土台９２及び桁９４への固定には短めの固定ビス６ａの１６本をもって行い、柱９３への固定には長めの固定ビス６ｂの１６本をもって行っている。なお、長めの固定ビス６ｂについては、一部を斜め方向へのねじ込み締結としている。
【手続補正２７】
【補正対象書類名】明細書
【補正対象項目名】００４８
【補正方法】変更
【補正の内容】
【００４８】
次に、図６に示す耐力壁８については、上記同様の８本の木軸材３の構成である点と、取付け対象の軸組材９を同じとしている。一方で、木軸間３の一体化用としては、全てが短めの木材用ビス５ａを直角方向へねじ込み締結した合計４９本で行っている。また、柱９３への取付けについては、長めの固定ビス６ｂを直角方向へねじ込み締結した合計１６本で行っている。この耐力壁８の壁倍率としては、２．１８の結果を得た。
【手続補正２８】
【補正対象書類名】明細書
【補正対象項目名】００４９
【補正方法】変更
【補正の内容】
【００４９】
１  本構造
２  本面材
３  木軸材
３１  凸条
３２  凹条
４  下穴
５ａ  木材用ビス（短め）
５ｂ  木材用ビス（長め）
５１  ネジ部
６ａ  固定ビス（短め）
６ｂ  固定ビス（長め）
７  耐力壁
８  耐力壁
９  軸組材
９１  基礎
９２  土台
９３  柱
９４  桁
【手続補正２９】
【補正対象書類名】図面
【補正対象項目名】図３
【補正方法】変更
【補正の内容】
【図３】
2019015127.tif 000009
【手続補正３０】
【補正対象書類名】図面
【補正対象項目名】図４
【補正方法】変更
【補正の内容】
【図４】
2019015127.tif 000010
【手続補正３１】
【補正対象書類名】図面
【補正対象項目名】図５
【補正方法】変更
【補正の内容】
【図５】
2019015127.tif 000011
【手続補正３２】
【補正対象書類名】図面
【補正対象項目名】図６
【補正方法】変更
【補正の内容】
【図６】
2019015127.tif 000012
【手続補正書】
【提出日】平成30年4月17日(2018.4.17)
【手続補正１】
【補正対象書類名】特許請求の範囲
【補正対象項目名】全文
【補正方法】変更
【補正の内容】
【特許請求の範囲】
【請求項１】
同一横断面形で角柱木軸材の３以上の複数本を、それぞれ側面当接させて面一状に配置して固定一体化した耐力面材であって、
該固定一体化が、前記木軸材ごとに、前記木軸材の１本又は２本を貫通し得る長さの複数本の木材用ビスを、同方向側に当接した１本又は２本の木軸材に向けて、かつ適宜の間隔をもってねじ込み締結して行っていることを特徴とする木軸材構成の耐力面材。
【請求項２】
前記木材用ビスのねじ込み方向が、
木軸材の長さ方向に対して直角方向、斜め方向、又はこれらの組合せであることを特徴とする請求項１記載の木軸材構成の耐力面材。
【請求項３】
角柱木軸材の側面当接が、
側面に形成した凹条又は凸条の適合によるものであることを特徴とする請求項１又は２記載の木軸材構成の耐力面材。
【請求項４】
請求項１、２、又は３記載の木軸材構成の耐力面材を、木造軸組構法の軸組材の間に取り付けて耐力壁面としたことを特徴とする木造軸組構法の耐力面構造。
【請求項５】
耐力面材を構成する角柱木軸材の断面形が、
耐力面材を取り付け固定する部位の軸組材の木軸と同一横断面形であることを特徴とする請求項４記載の木造軸組構法の耐力面構造。
【請求項６】
上記耐力面材を取り付ける部位が、
壁面、床面、及び天井面、であることを特徴とする請求項４又は５記載の木造軸組構法の耐力面構造。
【請求項７】
請求項４の耐力面構造を耐力壁面として構築する場合において、
前記耐力面材を構成する角柱木軸材を、縦方向にして土台に立設させて木造軸組の柱間又は間柱間に取付け固定したことを特徴とする木造軸組構法の耐力面構造。
【手続補正２】
【補正対象書類名】明細書
【補正対象項目名】００１４
【補正方法】変更
【補正の内容】
【００１４】
すなわち、同一横断面形の角柱木軸材の３以上の複数本を、それぞれ側面当接させて面一状に配置して固定一体化して成り、該固定一体化が、前記木軸材ごとに、前記木軸材の１本又は２本を貫通し得る長さの複数本の木材用ビスを、同方向側に当接した１本又は２本の木軸材に向けて、かつ適宜の間隔をもってねじ込み締結して行っていることを特徴としている。なお、上記木材用ビスは、木材用雄ネジに変更しても良い。